(57)【要約】【課題】ユーザに不快感を与えることがなく、周囲の環境音に応じて音量レベルを調整した測定用音声を放音させることができる聴取位置特定方法及び聴取位置特定システムを提供する。【解決手段】オーディオシステム１では、聴取位置を特定するための測定用音声をスピーカアレイ装置３のスピーカユニットＳＰ１，ＳＰｎから放音する前に、聴取位置に設置したリモコン装置５のマイクロフォンＭＩＣ３１で周囲の暗騒音を収音してその音量レベルを測定し、暗騒音の音量レベルに基づいて測定用音声の音量レベルを設定する。そして、２つのスピーカユニットＳＰ１，ＳＰｎから放音した測定用音声をマイクロフォンＭＩＣ３１で収音して、２つのスピーカＳＰ１，ＳＰｎから放音された測定用音声をマイクロフォンＭＩＣ３１が収音するまでの到達時間に基づいて聴取位置を算出する。【選択図】図１
2008042656.tif 000002
【特許請求の範囲】
【請求項１】
複数のスピーカユニットから放音される音声を聴取する聴取位置に設置され、測定用音声を収音するマイクロフォンと、前記マイクロフォンが前記測定用音声を収音したときに検出通知信号を送信する第１通信部と、を備えた測定端末装置と、
複数のスピーカユニットと、前記複数のスピーカユニットのうち少なくとも２つのスピーカユニットからそれぞれ測定用音声を順に放音させる制御部と、前記検出通知信号を受信する第２通信部と、前記各スピーカユニットから測定用音声を放音させてから前記第２通信部が検出通知信号を受信するまでの到達時間に基づいて前記聴取位置を算出する演算部と、を備えた音声出力装置と、を含む聴取位置特定システムにおいて、
前記測定端末装置は、前記マイクロフォンで収音した暗騒音の音量レベルを検出する信号レベル検出部を備え、
前記第１通信部は、前記信号レベル検出部で検出した暗騒音の音量レベルを出力し、
前記制御部は、前記暗騒音の音量レベルに基づいて前記測定用音声の音量レベルを設定する聴取位置特定システム。
【請求項２】
前記音声出力装置は、前記到達時間及び一定時間を計時する計時部を備え、
前記制御部は、前記計時部が一定時間を計時しても、前記第２通信部が前記検出通知信号を受信しない場合には、前記測定用音声の音量レベルを一定量大きくして前記２つのスピーカユニットから放音させる請求項１に記載の聴取位置特定システム。
【請求項３】
前記制御部は、前記測定用音声の音量レベルを大きくしてから第１時間が経過すると、前記測定用音声の音量レベルを初期値に戻す請求項２に記載の聴取位置特定システム。
【請求項４】
前記制御部は、前記暗騒音の音量レベルに基づいて前記測定用音声の検出閾値を設定する請求項１乃至３のいずれかに記載の聴取位置特定システム。
【請求項５】
前記音声出力装置を設置する室内空間において予め測定した残響レベルを記憶する記憶部を備え、
前記制御部は、前記記憶部が記憶する残響レベルに基づいて、前記各測定用音声の放音時間を設定する請求項１乃至４のいずれかに記載の聴取位置特定システム。
【請求項６】
前記制御部は、前記記憶部が記憶する残響レベルに基づいて、前記音声出力装置の２つのスピーカユニットから順に放音させる各測定用音声の放音間隔を設定する請求項５に記載の聴取位置特定システム。
【請求項７】
複数のスピーカユニットから放音される音声を聴取する聴取位置に設置したマイクロフォンで暗騒音を収音して、この暗騒音の音量レベルを検出する手順、
前記暗騒音の音量レベルに基づいて測定用音声の音量レベルを設定する手順、
前記複数のスピーカユニットのうち少なくとも２つのスピーカユニットから前記音量レベルの測定用音声をそれぞれ放音する放音手順、
前記マイクロフォンで各測定用音声を収音する収音手順、
各測定用音声を前記２つのスピーカユニットが放音してから前記マイクロフォンが収音するまでの両到達時間に基づいて聴取位置を算出する手順、
を備えた聴取位置特定方法。
【発明の詳細な説明】
【技術分野】
【０００１】
この発明は、スピーカユニットから放音された測定用音声をマイクロフォンで収音し、この測定用音声の到達時間を用いて聴取者の聴取位置の測定を行う聴取位置特定システム及び聴取位置特定方法に関する。
【背景技術】
【０００２】
従来、マルチチャンネル音声を出力するオーディオ装置（マルチチャンネルオーディオシステム）やスピーカアレイ装置等、複数のスピーカユニットから聴取者の聴取位置に応じた音量や遅延時間で音声を出力するものが知られている。例えば、マルチチャンネルオーディオシステムの場合には、聴取者の周囲に複数のスピーカユニットを配置して、各スピーカユニットから放音する音声の音量レベルや遅延時間を調整することで、聴取者の周囲に音場を形成する。また、スピーカアレイ装置の場合には、パネル板にマトリックス状に配置された複数のスピーカユニットの各スピーカユニットから音声を出力するタイミングや音量レベルを調整して複数の音声ビームを形成し、部屋の壁等に反射させた音声ビームや直接放音した音声ビームにより、聴取者の周囲に音場を形成する。これらの装置では、特定のチャンネルだけが突出せずに、聴取位置において聴取者が音場に包まれていると感じるように、各チャンネルのオーディオ信号の音量レベルや出力タイミング（遅延時間）がバランス良く調整される。
【０００３】
オーディオ装置やスピーカアレイ装置では、上記のように音量レベルや出力タイミングを調整するためには、聴取位置を予め取得しておく必要がある。そこで、従来、聴取者の聴取位置を自動的に検出する音質調整装置が提案されている（例えば、特許文献１参照。）。
【特許文献１】特開平４−３７００００号公報
【発明の開示】
【発明が解決しようとする課題】
【０００４】
特許文献１に記載の音質調整装置は、Ｌチャンネル用及びＲチャンネル用の２つのスピーカユニットとマイクロフォンを備えている。聴取位置の測定の際には、マイクロフォンを予め聴取位置に配置して、測定用音声を２つのスピーカユニットから順番に放音させて、この測定用音声をマイクロフォンで収音させる。音質調整装置は、２つのスピーカユニットの各々からマイクロフォンに測定用音声が到達するまでの時間を測定し、この測定時間に基づいてスピーカユニットからマイクロフォン（聴取位置）までの距離を算出する。
【０００５】
上記従来の音質調整装置では、ある程度の騒音下でも確実に聴取位置を検出できるようにするために、測定用音声の音量レベルを常に高レベルに設定していた。しかしながら、このように測定用音声の音量レベルを高レベルに設定すると、暗騒音レベルの低い環境や残響レベルの高い環境で測定を行った場合には、測定用音声が必要以上に高い音量レベルとなるため、聴取者に不快感を与えてしまうという問題があった。
【０００６】
そこで、この発明は、ユーザに不快感を与えることがなく、周囲の環境音に応じて音量レベルを調整した測定用音声を放音させることができる聴取位置特定システム及び聴取位置特定方法を提供することを目的とする。
【課題を解決するための手段】
【０００７】
この発明は、上記の課題を解決するための手段として、以下の構成を備えている。
【０００８】
（１）複数のスピーカユニットから放音される音声を聴取する聴取位置に設置され、測定用音声を収音するマイクロフォンと、前記マイクロフォンが前記測定用音声を収音したときに検出通知信号を送信する第１通信部と、を備えた測定端末装置と、
複数のスピーカユニットと、前記複数のスピーカユニットのうち少なくとも２つのスピーカユニットからそれぞれ測定用音声を順に放音させる制御部と、前記検出通知信号を受信する第２通信部と、前記各スピーカユニットから測定用音声を放音させてから前記第２通信部が検出通知信号を受信するまでの到達時間に基づいて前記聴取位置を算出する演算部と、を備えた音声出力装置と、を含む聴取位置特定システムにおいて、
前記測定端末装置は、前記マイクロフォンで収音した暗騒音の音量レベルを検出する信号レベル検出部を備え、
前記第１通信部は、前記信号レベル検出部で検出した暗騒音の音量レベルを出力し、
前記制御部は、前記暗騒音の音量レベルに基づいて前記測定用音声の音量レベルを設定することを特徴とする。
【０００９】
この構成においては、聴取位置を特定するための測定用音声を放音する前に、聴取位置に設置したマイクロフォンで周囲の暗騒音を収音してその音量レベルを測定し、暗騒音の音量レベルに基づいて測定用音声の音量レベルを設定し、２つのスピーカユニットから測定用音声を順に放音して、検出通知信号を受信するまでの到達時間に基づいて聴取位置を算出する。したがって、暗騒音に紛れることなくマイクロフォンで確実に収音でき、かつ、聴取者に不快感を与えることのない低い音量レベルに設定することで、聴取位置の周囲の環境音に合わせた適切な音量レベルの測定用音声により、聴取位置を特定することが可能となる。
【００１０】
（２）前記音声出力装置は、前記到達時間及び一定時間を計時する計時部を備え、
前記制御部は、前記計時部が一定時間を計時しても、前記第２通信部が前記検出通知信号を受信しない場合には、前記測定用音声の音量レベルを一定量大きくして前記２つのスピーカユニットから放音させることを特徴とする。
【００１１】
聴取位置が想定外の位置であったり想定外の環境下であったりすると、周囲の暗騒音の音量レベルに基づいて測定用音声の音量レベルを設定しているにもかかわらず、測定用音声が暗騒音に紛れてマイクロフォンで収音できずに、エラーとなる。この構成においては、一定時間が経過しても、前記第２通信部が前記検出通知信号を受信しない場合には、測定用音声を収音できていないので、測定用音声が収音できるまで、一定時間毎に測定用音声の音量レベルを一定量ずつ大きくして測定用音声の収音を繰り返す。したがって、予め測定用音声を大きな音量レベルに設定するのではなく、測定用音声の音量レベルを徐々に大きくして、マイクロフォンで収音できる音量レベルに設定するので、聴取者に不快感を与えることなく測定用音声の音量レベルを設定できる。
【００１２】
（３）前記制御部は、前記測定用音声の音量レベルを大きくしてから第１時間が経過すると、前記測定用音声の音量レベルを初期値に戻すことを特徴とする。
【００１３】
この構成においては、レベル変更手順が第１時間以上実行されないと、前記測定用音声の音量レベルを初期値に戻す。したがって、聴取位置を特定してからしばらくして聴取者が移動して聴取位置が変わっていたり周囲の暗騒音レベルが変わっていたりしても、第１時間が経過すると測定用音声の音量レベルが初期値に戻されるので、測定用音声の音量レベルが小さくなり、視聴者に不快感を与えることがない。
【００１４】
（４）前記制御部は、前記暗騒音の音量レベルに基づいて前記測定用音声の検出閾値を設定することを特徴とする。
【００１５】
聴取位置特定システムでは、暗騒音の音量レベルに基づいて前記測定用音声の音量レベルを設定するが、測定用音声の検出閾値が一定値であると、測定用音声を検出できない場合が有り得る。この構成においては、制御部は、測定用音声を検出するための検出閾値を、暗騒音の音量レベルに基づいて設定する。したがって、暗騒音の音量レベルに応じて測定用音声検出用の検出閾値を変更することで、暗騒音の音量レベルにかかわらず確実に測定用音声を検出できる。
【００１６】
（５）前記音声出力装置を設置する室内空間において予め測定した残響レベルを記憶する記憶部を備え、
前記制御部は、前記記憶部が記憶する残響レベルに基づいて、前記各測定用音声の放音時間を設定することを特徴とする。
【００１７】
人間の聴感は、音のレベルだけでなく、その継続時間により積分して全体の音量レベルを認知するので、音声の音量レベルが同じでも、室内空間の残響レベルが高く残響時間が長いほど音声の音量レベルを高いと感じる。この構成においては、音声出力装置を設置する室内空間の残響レベルに基づいて、音声出力装置の２つのスピーカユニットから順に放音させる各測定用音声の放音時間を設定する。したがって、音声出力装置を設置する室内空間の残響レベルが高いほど、音声出力装置の２つのスピーカユニットから順に放音させる各測定用音声の放音時間を短くすることで、聴取者が感じる音量レベルを抑えることができるので、聴取者に不快感を与えることなく、聴取位置を特定できる。
【００１８】
（６）前記制御部は、前記記憶部が記憶する残響レベルに基づいて、前記音声出力装置の２つのスピーカユニットから順に放音させる各測定用音声の放音間隔を設定することを特徴とする。
【００１９】
音声出力装置は２つのスピーカユニットから測定用音声を順に放音させるが、音声出力装置を設置する室内空間の残響レベルが高いほど、測定用音声の残響時間が長くなるので、２つの測定用音声を放音させる間隔が短いと、場合によっては２つの測定用音声がつながってしまい、測定用音声を誤検出して聴取位置の特定を誤ってしまう可能性がある。この構成においては、音声出力装置を設置する室内空間の残響レベルに基づいて、２つのスピーカユニットから放音させる各測定用音声の放音間隔を設定する。したがって、音声出力装置を設置する室内空間の残響レベルが高いほど、２つのスピーカユニットから放音させる各測定用音声の放音間隔時間を長くすることで、２つの測定用音声がつながるのを防止でき、かつ、２つの測定用音声を確実に収音できるので、聴取位置を確実に特定できる。
【００２０】
（７）複数のスピーカユニットから放音される音声を聴取する聴取位置に設置したマイクロフォンで暗騒音を収音して、この暗騒音の音量レベルを検出する手順、
前記暗騒音の音量レベルに基づいて測定用音声の音量レベルを設定する手順、
前記複数のスピーカユニットのうち少なくとも２つのスピーカユニットから前記音量レベルの測定用音声をそれぞれ放音する放音手順、
前記マイクロフォンで各測定用音声を収音する収音手順、
各測定用音声を前記２つのスピーカユニットが放音してから前記マイクロフォンが収音するまでの両到達時間に基づいて聴取位置を算出する手順、
を備えたことを特徴とする。
【００２１】
この構成においては、聴取位置を算出するための測定用音声を放音する前に、聴取位置に設置したマイクロフォンで暗騒音を収音してその音量レベルを測定し、暗騒音の音量レベルに基づいて測定用音声の音量レベルを設定する。そして、複数のスピーカユニットのうち少なくとも２つのスピーカユニットから放音した測定用音声をマイクロフォンで収音して、各スピーカユニットから放音された測定用音声をマイクロフォンが収音するまでの両到達時間に基づいて聴取位置を算出する。したがって、暗騒音に紛れることなくマイクロフォンで確実に収音でき、かつ、聴取者に不快感を与えることのない低い音量レベルに設定することで、聴取位置の周囲の環境音に合わせた適切な音量レベルの測定用音声により、聴取位置を特定することが可能となる。
【発明の効果】
【００２２】
本発明によれば、聴取位置を特定するための測定用音声を放音する前に、聴取位置に設置したマイクロフォンで暗騒音を収音してその音量レベルを測定し、この暗騒音の音量レベルに基づいて測定用音声の音量レベルを設定する。そして、２つのスピーカユニットから放音した測定用音声をマイクロフォンで収音して、２つのスピーカユニットから放音された測定用音声をマイクロフォンが収音するまでの到達時間に基づいて聴取位置を算出する。これにより、測定用音声が暗騒音に紛れることなくマイクロフォンで確実に収音でき、かつ、測定用音声の音量レベルを聴取者に不快感を与えることのない低い音量レベルに設定することができ、聴取位置の周囲の環境音に合わせた適切な音量レベルの測定用音声により、聴取位置を特定することが可能となる。
【発明を実施するための最良の形態】
【００２３】
図１は、オーディオシステムの概略構成を示すブロック図である。聴取位置特定システムであるオーディオシステム１は、スピーカアレイ装置３と、測定端末装置であるリモコン装置５から成る。
【００２４】
スピーカアレイ装置３は、入力部１１、信号処理部（デコーダ）１２、ビーム形成部１３、ｎ個のＤ／Ａコンバータ１５（１５−１〜１５−ｎ）、ｎ個のアンプ１７（１７−１〜１７−ｎ）、及びスピーカユニットＳＰ１〜ＳＰｎから成るスピーカアレイ１９を備えている。また、スピーカアレイ装置３は、ＩＲ信号受信部２１、システム制御部２３、操作部２５、表示部２７、及び記憶部２９を備えている。また、システム制御部２３は、測定用音声処理部２３１及び位置検出処理部２３３を備えている。また、位置検出処理部２３３は、計時部２３５、時間記憶部２３７、及び演算部２３９を備えている。
【００２５】
リモコン装置５は、マイクロフォンＭＩＣ３１、アンプ３３、Ａ／Ｄコンバータ３５、信号レベル検出部３７、表示部３９、操作部４１、制御部４３、ＩＲコード送出部４５を備えている。
【００２６】
スピーカアレイ装置３において、入力部１１は、不図示の外部機器から出力されたサラウンド音声信号のインタフェース回路であり、外部入力端子１１１から入力されたサラウンド音声信号は、信号処理部１２を経由してデコード及びポストプロセッシングを施されて、ビーム形成部１３に出力される。
【００２７】
信号処理部（デコーダ）１２は、測定用音声生成部１２１を備えており、システム制御部２３からの制御信号に基づいて、測定用音声であるテスト音声信号を生成してビーム形成部１３に出力する。
【００２８】
ビーム形成部１３は、聴取者が聴取位置において最適にサラウンド音声を聴取できるように、入力部１１から送られてきたサラウンド音声信号から音声ビームを生成して、各Ｄ／Ａコンバータ１５−１〜１５−ｎに出力する。ビーム形成部１３は、システム制御部２３から出力されたディレイ制御値（聴取位置情報）に基づいて、各チャンネルの音声ビームを形成する。また、ビーム形成部１３は、システム制御部２３から測定用音声１・２を放音する制御信号を受け取った場合には、信号処理部１２の測定用音声生成部１２１から出力されたテスト音声信号をＤ／Ａコンバータ１５−１またはＤ／Ａコンバータ１５−ｎに出力する。このテスト音声信号としては、例えば正弦波信号やインパルス信号等を用いると良い。
【００２９】
Ｄ／Ａコンバータ１５−１〜１５−ｎは、ビーム形成部１３から出力されたデジタル音声信号をアナログ音声信号に変換して、各アンプ１７−１〜１７−ｎに出力する。
【００３０】
アンプ１７−１〜１７−ｎは、Ｄ／Ａコンバータ１５−１〜１５−ｎから出力されたアナログ音声信号を増幅して、スピーカアレイ１９の各スピーカユニットＳＰ１〜ＳＰｎに出力する。
【００３１】
スピーカアレイ１９は、アンプ１７−１〜１７−ｎで増幅されたサラウンド音声信号を音声に変換して放音する。
【００３２】
ＩＲ信号受信部２１は、リモコン装置５から出力されたＩＲ信号（赤外光信号）を受信すると、電気信号に変換してシステム制御部２３に出力する。
【００３３】
システム制御部２３は、スピーカアレイ装置３の入力を切り替えて測定用音声生成部１２１からのテスト音声データを、ビーム形成部１３に出力させる。
【００３４】
また、このとき、測定用音声処理部２３１は、リモコン装置５が測定した周囲の暗騒音の音量レベル（ＩＲコード）に基づいて、測定用音声１・２の音量レベルを測定用信号生成部１２１に設定する。
【００３５】
また、位置検出処理部２３３は、スピーカアレイ１９のスピーカユニットＳＰ１及びＳＰｎから測定用音声１・２を放音させてから、リモコン装置５がこの測定用音声１・２を収音したことを伝えるために送出したＩＲコードを受信するまでの到達時間ｔ１・ｔ２を計時部２３５で計時し、時間記憶部２３７でこのｔ１・ｔ２を記憶する。そして、演算部２３９でこの到達時間ｔ１・ｔ２に基づいてリモコン装置５の位置（聴取位置）を算出して、この聴取位置情報をビーム形成部１３に出力する。
【００３６】
操作部２５は、ユーザがスピーカアレイ装置３の動作を制御するための操作を行うためのものである。
【００３７】
表示部２７は、スピーカアレイ装置３に設定されているモードやエラーなどのメッセージを表示する。
【００３８】
記憶部２９は、システム制御部２３で実行するプログラムや、プログラムを実行するための設定値等を記憶する。
【００３９】
リモコン装置５において、マイクロフォンＭＩＣ３１は、指向性のマイクロフォンであり、周囲から伝搬する音声を収音して、音声信号をアンプ３３に出力する。
【００４０】
アンプ３３は、マイクロフォンＭＩＣ３１が出力した音声信号を増幅して、Ａ／Ｄコンバータ３５に出力する。
【００４１】
Ａ／Ｄコンバータ３５は、アンプ３３で増幅されたアナログ音声信号をデジタル音声信号に変換（サンプリング）して、信号レベル検出部３７に出力する。
【００４２】
信号レベル検出部３７は、Ａ／Ｄコンバータ３５から出力された音声信号のレベル（音量レベル）に応じた音量レベル信号を制御部４３へ出力する。
【００４３】
表示部３９は、実行中のモードやエラー等のメッセージを表示する。
【００４４】
操作部４１は、聴取者の操作を受け付ける。
【００４５】
制御部４３は、リモコン装置５の各部を制御する。
【００４６】
ＩＲコード送出部４５は、制御部４３から出力された信号に応じた赤外光信号を出力する。
【００４７】
次に、オーディオシステム１において、聴取位置を特定する方法について説明する。特定の聴取者のみがスピーカアレイ装置３からの所望の音声（オーディオコンテンツ）を聴くためには、聴取者の聴取位置から各スピーカユニットＳＰ１〜ＳＰｎまでの距離に基づいた各オーディオ信号への遅延時間がスピーカアレイ装置３に予め設定されなくてはならない。
【００４８】
スピーカアレイ装置３は、この遅延時間を設定するために、聴取位置から両端のスピーカユニットＳＰ（ＳＰ１，ＳＰｎ）までの距離を測定して聴取位置を検出する処理（位置検出処理）を実行する。そして、スピーカアレイ装置３は、この聴取位置に各スピーカユニットＳＰ１〜ＳＰｎからの音声が同時に到達するような遅延時間を算出し、オーディオ信号に付与する遅延時間として設定する。
【００４９】
図２は、オーディオシステムが実行する位置検出処理を説明するための概念図である。オーディオシステム１において、位置検出処理を実行する際には、聴取者がスピーカアレイ装置３から放音された音声を聴取する位置（聴取位置）にリモコン装置５を予め配置しておく。このとき、リモコン装置５のマイクロフォンＭＩＣ３１を、スピーカアレイ装置３のスピーカアレイ１９の方向に向けて配置する。
【００５０】
スピーカアレイ装置３は、位置検出処理を開始すると、両端のスピーカユニットＳＰ１，ＳＰｎから順番に測定用音声を出力する。リモコン装置５は、マイクロフォンＭＩＣ３１から測定用音声を収音すると、その旨を通知する検出通知信号をスピーカアレイ装置３に送信する。
【００５１】
スピーカアレイ装置３は、スピーカユニットＳＰ１が測定用音声を放音してからリモコン装置５が測定用音声を収音し、直ちに送信した検出通知信号を受信するまでの到達時間ｔ１（第１到達時間）を計時する。また、スピーカユニットＳＰｎが測定用音声を放音してから検出通知信号を受信するまでの到達時間ｔ２（第２到達時間）を計時する。スピーカアレイ装置３は、この到達時間ｔ１及び到達時間ｔ２を用いて聴取位置を算出する。なお、リモコン装置５が測定用音声を収音してから、スピーカアレイ装置３が検出通知信号を受信するまでの時間は僅かであるため、無視するものとする。但し、無視できないほど時間を要するシステム遅延に関しては、この時間分の補正を行って到達時間ｔ１，ｔ２を求める。
【００５２】
また、この聴取位置の算出方法は、特許文献１などに記載されている周知の方法（三角測量法）を用いる。以下に、図２に基づいて聴取位置を算出する演算方法について説明する。
【００５３】
ここで、説明の便宜を図るために、スピーカユニットＳＰの配列方向をＸ軸、このＸ軸に直交し、かつ水平方向と平行な軸をＹ軸とする。Ｘ軸は、スピーカアレイ装置３に向かって右側、すなわちスピーカユニットＳＰｎ側を正の方向とする。Ｙ軸は、スピーカユニットＳＰからの音声信号の出力方向、すなわちユーザ側を正の方向とする。Ｘ軸とＹ軸の交点、すなわちＸ軸とＹ軸の原点はスピーカユニットＳＰ１〜ＳＰｎの中央とする。
【００５４】
到達時間ｔ１と到達時間ｔ２とが等しい場合には、リモコン装置５とスピーカユニットＳＰ１の距離と、リモコン装置５とスピーカユニットＳＰｎの距離とが等しいことを意味する。したがって、図２中のＹ軸上、すなわちスピーカアレイ装置３の中央正面（図２に示す真ん中のリモコン装置５の位置）にリモコン装置５が位置する。この場合、演算部２３９は、到達時間ｔ１または到達時間ｔ２と、音速ｃと、スピーカユニットＳＰ１及びスピーカユニットＳＰｎの距離（ｘ１−ｘ２）とから、下記式（１）によりリモコン装置５とスピーカアレイ装置３との距離ｙを算出する。なお、スピーカユニットＳＰ１のＸ軸の座標をｘ１、スピーカユニットＳＰｎのｘ軸上の座標をｘ２とする。
【００５５】
ｙ＝[（ｃ・ｔ１）２−{（ｘ２−ｘ１）／２}２]１／２
＝[（ｃ・ｔ２）２−{（ｘ２−ｘ１）／２}２]１／２・・・式（１）
また、到達時間ｔ１’が到達時間ｔ２’よりも長い場合には、リモコン装置５とスピーカユニットＳＰ１の距離が、リモコン装置５とスピーカユニットＳＰｎの距離よりも長いことを意味する。したがって、リモコン装置５がスピーカアレイ装置３の中央よりもスピーカユニットＳＰｎ側、すなわち図２を正面視した際にリモコン装置５がＹ軸よりも右側（図２に示す右端のリモコン装置５の位置）に位置する。この場合には、演算部２３９は、リモコン装置５のＸ軸上の座標ｘ’及びリモコン装置５とスピーカアレイ装置３との距離ｙ’を、下記式（２），（３）により算出する。
【００５６】
ｘ’＝[（ｃ・ｔ１’）２−（ｃ・ｔ２’）２＋（ｘ２）２−（ｘ１）２]／[２（ｘ２−ｘ１）]・・・式（２）
ｙ’＝[（ｃ・ｔ２’）２−（ｘ２−ｘ’）２]１/２
＝[（ｃ・ｔ１’）２−（ｘ’−ｘ１）２]１/２・・・式（３）
また、到達時間ｔ１”が到達時間ｔ２”よりも短い場合には、リモコン装置５とスピーカユニットＳＰ１の距離がリモコン装置５とスピーカユニットＳＰｎの距離よりも短いことを意味する。したがって、リモコン装置５がスピーカアレイ装置３の中央よりもスピーカユニットＳＰ１側、すなわち図２を正面視した際にリモコン装置５がＹ軸よりも左側（図２に示す左端のリモコン装置５の位置）に位置する。この場合には、演算部２３９は、リモコン装置５のＸ軸上の座標ｘ”及びリモコン装置５とスピーカアレイ装置３との距離ｙ”を、下記式（４）（５）により算出する。
【００５７】
ｘ”＝[（ｃ・ｔ１”）２−（ｃ・ｔ２”）２＋（ｘ２）２−（ｘ１）２]／[２（ｘ２−ｘ１）]・・・式（４）
ｙ”＝[（ｃ・ｔ２”）２−（ｘ２−ｘ”）２]１/２
＝[（ｃ・ｔ１”）２−（ｘ”−ｘ１）２]１/２・・・式（５）
次に、オーディオシステム１では、上記のように聴取位置を特定する際には、聴取位置検出処理を行う前に、まず周囲の暗騒音の音量レベルを測定し、この暗騒音の音量レベルに基づいて測定用音声の音量レベルを設定して、測定用音声を放音する位置検出処理を行う。すなわち、リモコン装置５を設置した聴取位置の周囲の暗騒音が小さい場合には、スピーカアレイ装置３のスピーカユニットＳＰ１，ＳＰｎから放音する測定用音声の音量も小さくして、暗騒音に紛れることなく測定用音声をマイクロフォンＭＩＣ３１で収音できる音量レベルにする。また、リモコン装置５を設置した聴取位置の周囲の暗騒音が大きい場合には、スピーカアレイ装置３のスピーカユニットＳＰ１，ＳＰｎから放音する測定用音声の音量も大きくして、暗騒音に紛れることなく測定用音声をマイクロフォンＭＩＣ３１で収音できる音量レベルにする。このようにすることで、スピーカアレイ装置３から放音する測定用音声の音量レベルを、周囲の暗騒音の影響を受けずにマイクロフォンＭＩＣ３１で収音（検出）でき、かつ、聴取者に不快感を与えることのない適切な音量レベルに設定することができる。
【００５８】
また、オーディオシステム１では、上記のように聴取位置を特定する際には、聴取位置検出処理を行う前に、周囲の暗騒音の音量レベルを測定して、この暗騒音の音量レベルに基づいて測定用音声の検出閾値を決定（設定）してから、測定用音声を放音する位置検出処理を行う。すなわち、リモコン装置５を設置した聴取位置の周囲の暗騒音が小さい場合には、スピーカアレイ装置３のスピーカユニットＳＰ１，ＳＰｎから放音する測定用音声の検出閾値も小さくして、暗騒音レベルに応じて測定用音声の音量が小さく設定された際に、測定用音声を確実に検出できる値に設定する。また、リモコン装置５を設置した聴取位置の周囲の暗騒音が大きい場合には、スピーカアレイ装置３のスピーカユニットＳＰ１，ＳＰｎから放音する測定用音声の検出閾値も大きくして、暗騒音レベルに応じて測定用音声の音量が大きく設定された際に、測定用音声を確実に検出できる値に設定する。このようにすることで、暗騒音の音量レベルにかかわらず確実に測定用音声を検出できる。
【００５９】
リモコン装置５は、聴取者が操作部４１を操作して聴取位置特定モードを設定したことを検出すると、マイクロフォンＭＩＣ３１で周囲の暗騒音を収音する。そして、リモコン装置５は、信号レベル検出部３７で、この暗騒音の音量レベルを検出し、この暗騒音の音量レベルに応じた信号（ＩＲコード）をＩＲコード送出部４５から出力する。
【００６０】
図３は、暗騒音のレベルとＩＲコードとの関係を示す表である。図３には、説明を簡略化するために、暗騒音の音量レベルを４段階に分類した例を示している。リモコン装置５は、暗騒音の音量レベルが小さい場合には、ＩＲコードＡを送出し、計測時の暗騒音の音量レベルが大きくなるにつれて、その音量レベルに応じて順に、ＩＲコードＢ，Ｃ，Ｄを送出する。
【００６１】
スピーカアレイ装置３は、アンプ１７−１〜１７−ｎにより測定用音声の音量レベルを調整して、ＩＲ信号受信部２１で受信したＩＲコードに応じた音量レベルで、スピーカアレイ１９から測定用音声を放音する。すなわち、スピーカアレイ装置３は、ＩＲコードＡを受信した場合には、音量レベルを最も小さくして測定用音声を放音させる。また、スピーカアレイ装置３は、受信したＩＲコードが順にＢ，Ｃ，Ｄとなるにつれて、音量レベルを大きくして測定用音声を放音させる。
【００６２】
次に、オーディオシステム１では、上記のように、測定用音声の音量レベルを、リモコン装置５を設置した聴取位置における暗騒音の音量レベルに応じて設定するが、スピーカアレイ装置３に対する聴取位置によっては、測定用音声の音量レベルを適正な値に設定できないことがあり得る。すなわち、測定用音声の音量レベルは、部屋の中央付近等の想定される聴取位置で適正になるように予め設定されている。しかし、聴取位置が部屋の端等の想定外の位置であったり想定外の環境下であったりすると、周囲の暗騒音の音量レベルに基づいて音量レベルを設定した測定用音声を、リモコン装置５のマイクロフォンＭＩＣ３１で収音（検出）することができずに、エラーとなることがある。そこで、オーディオシステム１では、予め設定された第１時間内であれば、当初割り当てられていた暗騒音レベルに対する測定用音声の音量レベルを、マイクロフォンＭＩＣ３１で収音できるまで、一定量ずつ大きくして再測定を行うように設定している。
【００６３】
これにより、再測定時の測定成功確率を改善することができ、様々な環境下での動作を保証できる。また、上記音量レベルオフセットは、第１時間測定が行われなければ、ゼロにクリアされる（初期値に戻される）ので、測定環境が通常レベルに戻った場合には、必要以上の音量レベルで測定が行われることを防止できる。
【００６４】
オーディオシステム１は、具体的には、以下のように処理を行う。図４は、暗騒音の音量レベルと測定用音声の音量レベルの関係を示す図である。ここで、図４では、暗騒音、測定音とも、音量レベルの最小値を１とし、大きくなるにつれて数値が大きくなるものとする。
【００６５】
オーディオシステム１において、スピーカアレイ装置３のシステム制御部２３は、一例として、暗騒音が音量レベル１のときには、測定用音声の音量レベルを１に設定し（図４（Ａ）参照）、スピーカユニットＳＰ１，ＳＰｎから音量レベル１の測定用音声を放音させる。しかし、システム制御部２３は、リモコン装置５がマイクロフォンＭＩＣ３１で測定用音声を収音できず、一定時間が経過しても応答がない場合には、測定用音声の音量レベルを１段階上げて音量レベルを２に設定し（図４（Ｂ）参照）、スピーカユニットＳＰ１，ＳＰｎから音量レベル２の測定用音声を放音させる。
【００６６】
システム制御部２３は、リモコン装置５がマイクロフォンＭＩＣ３１で音量レベル２の測定用音声を収音できず、さらに一定時間が経過しても応答がない場合には、測定用音声の音量レベルをさらに１段階上げて音量レベルを３に設定して（図４（Ｃ）参照）、スピーカユニットＳＰ１，ＳＰｎから測定用音声を放音させる。また、システム制御部２３は、測定用音声の音量レベルを３に設定しても、リモコン装置５のマイクロフォンＭＩＣ３１で収音できず、さらに一定時間が経過しても応答がない場合には、測定用音声の音量レベルをさらに１段階上げて音量レベルを４に設定して（図４（Ｄ）参照）、スピーカユニットＳＰ１，ＳＰｎから測定用音声を放音させる。
【００６７】
このように、システム制御部２３は、測定用音声を検出できるまで、測定用音声の音量レベルを１段階ずつ（一定量ずつ）大きくする。これにより、予め測定用音声を大きな音量レベルに設定するのではなく、測定用音声の音量レベルを徐々に大きくして、マイクロフォンで収音できる音量レベルに設定するので、聴取者に不快感を与えることなく測定用音声の音量レベルを設定できる。
【００６８】
また、スピーカアレイ装置３は、測定用音声の再測定を繰り返してから第１時間（上記の一定時間よりも長い時間）が経過した場合には、測定用音声の音量レベルを１に戻す。これにより、聴取者が移動して聴取位置が変わっていたり暗騒音の音量レベルが変化したりしても、第１時間が経過すると測定用音声の音量レベルが元の値（初期値）に戻されるので、測定用音声の音量レベルが小さくなり、視聴者に不快感を与えることがない。
【００６９】
なお、測定用音声の音量レベルを大きくする一定量は、予め実験等を行って設定しておくと良い。
【００７０】
次に、オーディオシステム１を設置する場所の残響レベルが異なると、測定用音声の音量レベルが同じであっても、異なる音量に聞こえるため、聴取者に不快感を与えてしまう場合がある。図５は、残響レベルと経過時間の関係、及び残響時間と発音時間の関係を示す図である。例えば、図５（Ａ）に示すように、残響レベルが高い室内空間で測定用音声を放音すると、残響時間が長いので、聴取者は音量レベルが大きく感じる。これは、以下の理由による。すなわち、人間は、音のレベルだけでなく、その継続時間により積分して全体の音量レベルを認知するので、音声の音量レベルが同じでも、室内空間の残響レベルが高いほど音声の音量レベルを高いと感じるからである。そこで、オーディオシステム１では、図５（Ｂ）に示すように、スピーカアレイ装置３を設置する室内空間の残響時間が長いほど（残響レベルが高いほど）、スピーカアレイ装置３の２つのスピーカから順に放音させる各測定用音声の放音時間を短くする。これにより、聴取者に不快感を与えることなく、聴取位置を特定できる。
【００７１】
また、室内空間の残響レベルが高いほど、音声は長時間残響する。そのため、オーディオシステム１では、図５（Ｃ）に示すように、室内空間の残響時間が長いほど（残響レベルが大きいほど）、測定用音声１と測定用音声２の放音間隔（放音開始間隔）を長くする。例えば、残響レベルが小さい場合には測定用音声１と測定用音声２の放音間隔をｔｃに設定し、残響レベルが大きくなるに連れて、測定用音声１と測定用音声２の放音間隔を長くしてｔｂやｔａに設定する。これにより、測定用音声１の残響が消える前に測定用音声２を放音して、２つの音声が重なるのを防止できるので、測定用音声１・２に基づいて確実に聴取位置を特定できる。
【００７２】
なお、室内空間の残響レベルは変動しないので、予め室内空間の残響レベルを測定して記憶部２９に記憶させておき、聴取位置特定処理時にこの残響レベルを読み出し、この残響レベルに応じた放音時間で測定用音声を放音すると良い。また、室内の残響レベルの測定方法としては、例えば、特開平８−２４７８３７号公報に記載されているような残響時間自動測定方法を用いると良い。
【００７３】
次に、オーディオシステム１において、聴取位置の特定処理を行うときの動作について、フローチャートに基づいて説明する。図６は、オーディオシステムを構成するリモコン装置及びスピーカアレイ装置の動作を説明するためのフローチャートである。
【００７４】
ここで、オーディオシステム１は、設置直後に室内の残響レベルを測定して記憶部２９に記憶させており、聴取位置の特定処理を行うときには、記憶部２９から読み出した残響レベルに基づいて、測定用音声の放音時間や放音間隔を設定する。
【００７５】
図６に示すように、リモコン装置５の制御部４３は、ユーザが操作部４１を操作して聴取位置特定処理を実行するように設定したことを検出すると（ｓ１）、聴取位置特定処理の開始を伝えるＩＲコードをＩＲコード送出部４５から送出する（ｓ２）。
【００７６】
スピーカアレイ装置３のシステム制御部２３は、ＩＲ信号受信部２１でＩＲコードを受信したことを検出すると（ｓ５１）、聴取位置特定処理の開始を受け付けて、初期設定を行う（ｓ５２）。
【００７７】
リモコン装置５の制御部４３は、ステップｓ２に続いて、マイクロフォンＭＩＣ３１で周囲の暗騒音を収音して、その音量レベルを信号レベル検出部３７で検出する（ｓ３）。そして、制御部４３は、信号レベル検出部３７が検出した暗騒音の音量レベルに応じたＩＲコードをＩＲコード送出部４５から送出する（ｓ４）。また、制御部４３は、測定用音声１の検出処理を開始する（ｓ５）。
【００７８】
スピーカアレイ装置３のシステム制御部２３は、ＩＲ信号受信部２１で暗騒音の音量レベルに応じたＩＲコードに基づいて、測定用音声処理部２３１で、暗騒音の音量レベルに応じた測定用音声の音量レベル及び測定用音声の検出閾値を決定して、アンプ１７−１の増幅率を変更して、測定用音声１をスピーカユニットＳＰ１から放音させる（ｓ５３）。このとき、測定用音声１の放音時間は、オーディオシステム１を設置した室内空間の残響レベルに基づいて設定される。また、システム制御部２３は、測定用音声１の放音開始と同時に計時部２３５で計時を開始する（ｓ５４）。
【００７９】
リモコン装置５の制御部４３は、暗騒音に紛れることなくマイクロフォンＭＩＣ３１で測定用音声１を収音・検出できた場合には（ｓ６）、直ちに測定用音声１を検出したことを伝えるＩＲコード（測定用音声１の検出通知信号）をＩＲコード送出部４５から送出する（ｓ７）。
【００８０】
スピーカアレイ装置３のシステム制御部２３は、ＩＲ信号受信部２１でＩＲコード（測定用音声１の検出通知信号）を受信すると（ｓ５５）、計時部２３５を確認して、測定用音声１を放音してからＩＲコードを受信するまでの到達時間ｔ１を、時間記憶部２３７に記憶させる（ｓ５６）。
【００８１】
一方、リモコン装置５の制御部４３は、暗騒音に紛れて測定用音声１を検出できない場合には（ｓ６）、スピーカアレイ装置３に対して応答できず、引き続き測定用音声１の検出を続ける。
【００８２】
システム制御部２３は、リモコン装置５からのＩＲコード（測定用音声１の検出通知信号）を受信できず（ｓ５５）、計時部２３５で計時を開始してから一定時間が経過した場合には（ｓ５７）、リモコン装置５が測定用音声１を検出できていないと判断して、計時部２３５をリセットするとともに、測定用音声１の音量レベルを１段階上げて、再度測定用音声１を放音する（ｓ５８）。また、このとき、システム制御部２３は、測定用音声１の放音開始と同時に計時部２３５で計時を開始する（ｓ５４）。
【００８３】
リモコン装置５の制御部４３は、測定用音声１を検出できるまで、ステップｓ６の処理を続けて、測定用音声１を検出すると、直ちに測定用音声１を検出したことを伝えるＩＲコード（測定用音声１の検出通知信号）をＩＲコード送出部４５から送出する（ｓ７）。また、制御部４３は、測定用音声２の検出処理を開始する（ｓ１０）。
【００８４】
システム制御部２３は、リモコン装置５からのＩＲコード（測定用音声１の検出通知信号）を受信するまで、ステップｓ５４→ｓ５５→ｓ５７→ｓ５８→ｓ５４の処理を繰り返し、ＩＲコードを受信すると（ｓ５５）、計時部２３５を確認して、測定用音声１を放音してからＩＲコードを受信するまでの到達時間ｔ１を、時間記憶部２３７に記憶させる（ｓ５６）。
【００８５】
続いて、スピーカアレイ装置３のシステム制御部２３は、計時部２３５を確認して、測定用音声１を放音してから室内空間の残響レベルに応じて設定された放音間隔分の時間が経過していない場合には、この放音間隔分の時間が経過するまで待機する。システム制御部２３は、放音間隔分の時間が経過すると（ｓ６０）、ステップｓ５３で決定した測定用音声の音量レベルで、測定用音声２をスピーカユニットＳＰ１から放音させる（ｓ６１）。このとき、システム制御部２３は、測定用音声２の放音開始と同時に計時部２３５で計時を開始する（ｓ６２）。
【００８６】
リモコン装置５の制御部４３は、暗騒音に紛れることなくマイクロフォンＭＩＣ３１で測定用音声２を収音・検出できた場合には（ｓ１１）、直ちに測定用音声２を検出したことを伝えるＩＲコード（測定用音声２の検出通知信号）をＩＲコード送出部４５から送出する（ｓ１２）。そして、制御部４３は、聴取位置の特定処理を終了する。
【００８７】
スピーカアレイ装置３のシステム制御部２３は、ＩＲ信号受信部２１でＩＲコード（測定用音声２の検出通知信号）を受信すると（ｓ６３）、計時部２３５を停止して、測定用音声２を放音してからＩＲコードを受信するまでの到達時間ｔ２を、時間記憶部２３７に記憶させる（ｓ６４）。また、計時部２３５をリセットして計時を停止させる。
【００８８】
一方、リモコン装置５の制御部４３は、暗騒音に紛れて測定用音声２を検出できない場合には（ｓ１１）、スピーカアレイ装置３に対して応答できず、引き続き測定用音声２の検出を続ける。
【００８９】
システム制御部２３は、リモコン装置５からのＩＲコード（測定用音声２の検出通知信号）を受信できず（ｓ６３）、計時部２３５で計時を開始してから一定時間が経過した場合には（ｓ６５）、リモコン装置５が測定用音声２を検出できていないと判断して、計時部２３５をリセットするとともに、測定用音声２の測定信号レベルを１段階上げて、再度測定用音声２を放音する（ｓ６６）。また、このとき、システム制御部２３は、測定用音声２の放音開始と同時に計時部２３５で計時を開始する（ｓ６２）。
【００９０】
リモコン装置５の制御部４３は、測定用音声２を検出できるまで、ステップｓ１１の処理を続けて、測定用音声２を検出すると、直ちに測定用音声２を検出したことを伝えるＩＲコード（測定用音声２の検出通知信号）をＩＲコード送出部４５から送出する（ｓ１２）。そして、制御部４３は、聴取位置の特定処理を終了する。
【００９１】
また、システム制御部２３は、リモコン装置５からのＩＲコード（測定用音声１の検出通知信号）を受信するまで、ステップｓ６２→ｓ６３→ｓ６５→ｓ６６→ｓ６２の処理を繰り返し、ＩＲコードを受信すると（ｓ６２）、計時部２３５を停止して、測定用音声２を放音してからＩＲコードを受信するまでの到達時間ｔ２を、時間記憶部２３７に記憶させる（ｓ６３）。また、計時部２３５をリセットして計時を停止させる。
【００９２】
続いて、スピーカアレイ装置３のシステム制御部２３は、時間記憶部２３７から到達時間ｔ１・ｔ２を読み出して、これらの到達時間に基づいて、上述したような式（１）〜式（５）の演算を行うことで、スピーカユニットＳＰ１・ＳＰｎから聴取位置までの距離を算出する（ｓ６７）。
【００９３】
そして、システム制御部２３は、この聴取位置に音声ビームが指向するようなディレイ制御値をビーム形成部１３に設定して（ｓ６８）、聴取位置の特定処理を終了する。
【００９４】
なお、上記の説明において、ステップｓ６１では、ステップｓ５３で決定した暗騒音に基づいた測定用音声の音量レベルで、測定用音声２をスピーカユニットＳＰ１から放音させるようにしたが、ステップｓ５５においてＩＲコードを受信した際に、その直前の測定用音声１の音量レベルに基づいて、測定用音声２の音量レベルを設定しても良い。例えば、測定用音声２の音量レベルを、測定用音声１の最終的な音量レベルと同じ音量レベルに設定しても良い。
【００９５】
また、以上の説明では、リモコン装置５に設けたマイクロフォンＭＩＣ３１で暗騒音及び測定用音声１・２を収音する構成としたが、これに限るものではなく、聴取位置に設置したワイヤードマイクロフォンのケーブルをスピーカアレイ装置３に接続し、このマイクロフォンで収音した暗騒音や測定用音声１・２の処理をスピーカアレイ装置３で行う構成であっても良い。また、マイクロフォンは、ワイヤレス（無線型）でもワイヤード（有線型）でも良く、マイクロフォンの形態に応じてスピーカアレイ装置３を構成すると良い。
【００９６】
また、上記の説明では、スピーカユニットＳＰ１，ＳＰｎから測定用音声を放音させる構成としたが、これに限定されず、他のスピーカユニットＳＰに測定用音声を放音させる構成であっても良い。スピーカユニットＳＰ１，ＳＰｎから測定用音声を放音させる構成としたが、さらに、別のスピーカユニットからも測定用音声を放音させる構成とすることも可能である。
【００９７】
また、スピーカアレイ装置３は、スピーカアレイ１９を一体的に備える構成としたがこれに限定されない。例えば、スピーカアレイ１９と、オーディオ信号に遅延時間や出力レベルを調整する信号処理を施す機能部とを別体として備えた構成に代えて用いても良い。
【００９８】
また、本発明は、スピーカアレイ装置３とリモコン装置５から成るオーディオシステム１のみに適用されるものではなく、例えば、スピーカユニットを複数備えたマルチチャンネルオーディオシステム等にも適用できる。
【図面の簡単な説明】
【００９９】
【図１】オーディオシステムの概略構成を示すブロック図である。
【図２】オーディオシステムが実行する位置検出処理を説明するための概念図である。
【図３】暗騒音のレベルとＩＲコードとの関係を示す表である。
【図４】暗騒音の音量レベルと測定用音声の音量レベルの関係を示す図である。
【図５】残響レベルと経過時間の関係、及び残響時間と発音時間の関係を示す図である。
【図６】オーディオシステムを構成するリモコン装置及びスピーカアレイ装置の動作を説明するためのフローチャートである。
【符号の説明】
【０１００】
１−オーディオシステム    ３−スピーカアレイ装置    ５−リモコン装置    １１−入力部    １３−ビーム形成部    １５−Ｄ／Ａコンバータ    １７，３３−アンプ    １９−スピーカアレイ    ２１−ＩＲ信号受信部    ２３−システム制御部    ２５−操作部    ２７−表示部    ２９−記憶部    ３５−Ａ／Ｄコンバータ    ３７−信号レベル検出部    ３９−表示部    ４１−操作部    ４３−制御部    ４５−ＩＲコード送出部    １１１−外部入力端子    ２３１−測定用音声処理部    ２３３−位置検出処理部    ２３５−計時部    ２３７−時間記憶部    ２３９−演算部    ＭＩＣ３１−マイクロフォン    ＳＰ、ＳＰ１〜ＳＰｎ−スピーカユニット
【図１】
2008042656.tif 000003
【図２】
2008042656.tif 000004
【図３】
2008042656.tif 000005
【図４】
2008042656.tif 000006
【図５】
2008042656.tif 000007
【図６】
2008042656.tif 000008